(57)【特許請求の範囲】
【請求項１】
電柱等の支柱に対しアーム部材を取り付けるためのアーム部材取付金具であって、
基端側がアーム部材の左右両側面にそれぞれ固定される一方、先端側に被掛止部を有する先端側直線部が設けられた一対のバンド片と、
先端側にバンド片の被掛止部に掛止する掛止部が設けられる一方、基端側にネジ部が設けられた掛止ボルトと、
支柱の直径以上の長さを有し、その両側には掛止ボルトのネジ部がナットにより取り付けられるボルト孔が設けられる一方、そのボルト孔の間には、アーム部材の反対側から支柱に接触して支柱を押さえる支柱押さえ部が設けられた受け金具とを有し、
一対のバンド片それぞれの基端側をアーム部材の左右両側面に固定した場合には、一対のバンド片それぞれの先端側直線部間の間隔が取付けるべき支柱の直径とほぼ等しくなるように構成されていることを特徴とするアーム部材取付金具。
【請求項２】
請求項１記載のアーム部材取付金具において、
各バンド片の先端側直線部の長手方向の長さは、取付けるべき支柱の半径以上の長さを有することを特徴とするアーム部材取付金具。
【請求項３】
請求項１または請求項２記載のアーム部材取付金具において、
受け金具のボルト孔は、受け金具の長手方向に長い長孔であることを特徴とするアーム部材取付金具。
【発明の詳細な説明】
【技術分野】
【０００１】
本発明は、電柱等に対してアーム部材（腕金ともいう。）を取り付けるアーム部材取付金具に関する。
【背景技術】
【０００２】
従来のアーム部材取付金具として、例えば、電柱の周囲をほぼ電柱の外周面の形状に合わせて湾曲した複数個のバンド片で締付け、そのバンド片と基端側の両端に組付部片を設けたアーム部材を連結させ、電柱周面より突出するアーム部材を取り付けたものがある（例えば、特許文献１参照。）。そして、このアーム部材には、各種の電線や通信線、電力機器、通信機器などを取付けるようにしている。
【先行技術文献】
【特許文献】
【０００３】
【特許文献１】特開２００３−３２４８３０号公報
【発明の概要】
【発明が解決しようとする課題】
【０００４】
しかし、前述の従来のアーム部材取付金具では、電柱の周囲をほぼ電柱の外周面の形状に合わせて湾曲した一対のバンド片で締付けてアーム部材を電柱に固定するようにしているため、電柱の両側に既に継柱アームや通信機器等の既設装置が立設されている場合、電柱等の支柱の外周面と既設装置との間に若干の隙間はあるものの、バンド片が湾曲しているためその隙間に通すことができず、アーム部材を取り付けることができなかったり、その取付け作業に手間がかかるという問題があった。特に、最近は、継柱アームや通信機器等の既設装置を立設した後に、電柱等の支柱の外周面と既設装置との間に、引込線等を追加で取り付けるための新たなアーム部材を取り付ける要求が増加している。
【０００５】
そこで、本発明は、電柱等の支柱の外周面と既設装置との間の隙間が狭い場合でも、その隙間にバンド片を簡単に挿入して、アーム部材を支柱に対し容易に取り付けることができるアーム部材取付金具を提供することを目的とする。
【課題を解決するための手段】
【０００６】
上記課題を解決するため、本発明のアーム部材取付金具は、電柱等の支柱に対しアーム部材を取り付けるためのアーム部材取付金具であって、基端側がアーム部材の左右両側面にそれぞれ固定される一方、先端側に被掛止部を有する先端側直線部が設けられた一対のバンド片と、先端側にバンド片の被掛止部に掛止する掛止部が設けられる一方、基端側にネジ部が設けられた掛止ボルトと、支柱の直径以上の長さを有し、その両側には掛止ボルトのネジ部がナットにより取り付けられるボルト孔が設けられる一方、そのボルト孔の間には、アーム部材の反対側から支柱に接触して支柱を押さえる支柱押さえ部が設けられた受け金具とを有し、一対のバンド片それぞれの基端側をアーム部材の左右両側面に固定した場合には、一対のバンド片それぞれの先端側直線部間の間隔が取付けるべき支柱の直径とほぼ等しくなるように構成されていることを特徴とする。
ここで、各バンド片の先端側直線部の長手方向の長さは、取付けるべき支柱の半径以上の長さを有するようにすると良い。
また、受け金具のボルト孔は、受け金具の長手方向に長い長孔であるようにすると良い。
【発明の効果】
【０００７】
本発明のアーム部材取付金具によれば、一対のバンド片の先端側に被掛止部が形成された先端側直線部を設け、一対のバンド片それぞれの基端側をアーム部材の左右両側面に固定した場合に、一対のバンド片それぞれの先端側直線部間の間隔が取付けるべき支柱の直径とほぼ等しくなるように構成しているため、電柱等の支柱の外周面と既設装置との間の隙間が狭い場合でも、その隙間に一対のバンド片の先端側直線部を簡単に挿入することができる。その結果、その先端側直線部に設けられた被掛止部に掛止ボルト先端の掛止部を掛止して、掛止ボルト基端のネジ部を受け金具に固定することにより、アーム部材を支柱に対し容易に取り付けることができる。
【図面の簡単な説明】
【０００８】
【図１】（ａ）〜（ｃ）それぞれアーム部材に本発明にかかるアーム部材取付金具の斜視図、平面図、正面図である。
【図２】（ａ）〜（ｃ）それぞれアーム部材の斜視図、平面図、正面図である。
【図３】（ａ）〜（ｃ）それぞれバンド片の斜視図、平面図、正面図である。
【図４】掛止ボルトの平面図である。
【図５】（ａ）〜（ｄ）それぞれ受け金具の斜視図、平面図、正面図、右側面図である。
【図６】（ａ），（ｂ）それぞれ支柱の直径が増大した場合における対応の一例を示す平面図、左側面である。
【図７】（ａ），（ｂ）それぞれ支柱の直径が増大した場合における対応の他の例を示す平面図である。
【発明を実施するための形態】
【０００９】
以下、本発明にかかるアーム部材取付金具１の実施形態について、図面を参照して説明する。
【００１０】
このアーム部材取付金具１は、図１に示すように、電柱等の支柱３にアーム部材２を取り付けるための装置であって、一対のバンド片１１，１１と、一対の掛止ボルト１２，１２と、受け金具１３とを有し、後述するように、ボルト４１ａ，４２ａおよびナット４１ｂ，４２ｂによりアーム部材２に固定される。
【００１１】
アーム部材２は、図２に示すように、例えば、切断面がボックス状（箱形状）の鋼材からなる角型鋼管からなり、その左右両側面２１，２２には、一対のバンド片１１，１１の基端部を固定するためのボルト孔２１ａ，２２ａがそれぞれ２箇所ずつ形成されている。また、アーム部材２の上下両側面２３，２４には、それぞれ、新たな引込線等を取り付けるためのボルト孔２３ａ，２４ａがそれぞれ２箇所ずつ形成されている。なお、このボルト孔２１ａ，２２ａおよびボルト孔２３ａ，２４ａは、２箇所に限らず、３箇所以上でも良いし、１箇所でも良い。そして、アーム部材２の先端側は、取り付けるべき支柱３の外径（直径）Ｒに応じて湾曲形状に形成され、支柱３の外周面に当接する。
【００１２】
各バンド片１１は、図３に示すように、基端側にアーム部材２の左右両側面２１，２２にそれぞれ固定されるように基端側直線部１１１が設けられている一方、先端側に先端側直線部１１２が設けられており、この先端側直線部１１２には、掛止ボルト１２の後述する掛止部１２ｂが掛止される被掛止部としての被掛止孔１１２ａが形成されている。ここで、通常、アーム部材２の左右両側面２１，２２間の間隔（幅）は、支柱３の半径Ｒよりも小さい。そのため、本実施形態では、各バンド片１１の基端側直線部１１１をアーム部材２の左右両側面２１，２２にそれぞれ固定した場合に、一対のバンド片１１，１１それぞれの先端側直線部１１２間の間隔が取付けるべき支柱３の直径とほぼ等しくなるように各バンド片１１を折り曲げ、基端側直線部１１１と先端側直線部１１２の間にほぼ直線状または湾曲形状の中継部１１３を設けている。そのため、電柱等の支柱３の外周面と既設装置との間の隙間が狭い場合でも、その隙間に一対のバンド片１１，１１の先端側直線部１１２を横方向から挿入して、アーム部材２を容易に支柱３に対し取り付けることが可能となる。なお、このアーム部材取付金具１は、支柱３に継柱アームや通信機器等の既設装置が設けられていない場合にも、勿論、使用可能である。また、本発明では、バンド片１１に基端側直線部１１１および中継部１１３を設けることは任意であり、先端側直線部１１２を設けていれば十分である。
【００１３】
ここで、一対のバンド片１１，１１をアーム部材２の左右両側面２１，２２に固定した場合に、一対のバンド片１１，１１それぞれの先端側直線部１１２間の間隔が、取付けるべき支柱３の直径とほぼ等しくなるとは、支柱３の外周面と既設装置との間の隙間が狭い場合でも、その隙間に一対のバンド片１１，１１それぞれの先端側直線部１１２を簡単に挿入できるように、その先端側直線部１１２間の間隔が取付けるべき支柱３の直径とほぼ等しいか、僅かに大きい程度の間隔にするという意である。特に、一対のバンド片１１，１１それぞれの先端側直線部１１２間の間隔が取付けるべき支柱３の直径と等しくした場合には、支柱３にこのアーム部材取付金具１を固定した場合、支柱３の外周面に各先端側直線部１１２の内側面が接触するので、図１（ｂ）に示すように、アーム部材２の先端側と、受け金具１３の後述する受け金具本体１３１（図５参照。）と、一対のバンド片１１，１１とにより支柱３の外周面を挟持することが可能となり、支柱３の外周面に各先端側直線部１１２の内側面が接触しない場合よりも、強固にアーム部材２を支柱３に取付けることができる。ただし、本発明では、支柱３の外周面に各先端側直線部１１２の内側面を接触させることは、任意である。
【００１４】
また、後述する図６や図７に示すようにアーム部材２を取付けるべき支柱３の直径は、１種類ではなく、数種類あって一義的に決定されないため、本実施形態では、取付け頻度の高い支柱３の直径や、取り付ける可能性のある複数の支柱３のうち最も小径の支柱３の直径などに合わせて、基端側直線部１１１および先端側直線部１１２に対する中継部１１３の角度や長さを設定する。そして、取付けるべき支柱３の直径が太くなり、バンド片１１の基端側直線部１１１とアーム部材２の左右両側面２１，２２との間に隙間が空く場合には、例えば後述する図６や図７に示すようにスペーサ５や座金５’等を使用して、一対のバンド片１１，１１それぞれの先端側直線部１１２間の間隔を、支柱３の外周面と既設装置との間の隙間が狭い場合でも、その隙間に一対のバンド片１１，１１それぞれの先端側直線部１１２を簡単に挿入できるように調整する。
【００１５】
また、本実施形態では、バンド片１１の先端側直線部１１２の長手方向の長さＬ１は、図１に示すように、取付けるべき支柱３の半径Ｒ以上の長さとしている。そのため、電柱等の支柱３の外周面と既設装置との間の隙間に一対のバンド片１１，１１の先端側直線部１１２を挿入した場合、先端側直線部１１２の先端は、支柱３の外周面の最遠点よりも先に突出するので、先端側直線部１１２の被掛止孔１１２ａに掛止ボルト１２を容易に掛止することでき、この点でもアーム部材２を容易に支柱３に対し取り付けることが可能となる。ただし、本発明では、バンド片１１の先端側直線部１１２の長手方向の長さＬ１を取付けるべき支柱３の半径Ｒ以上の長さとすることは任意であり、支柱３の半径Ｒ未満でも良い。
【００１６】
また、バンド片１１の基端側直線部１１１には、アーム部材２のボルト孔２１ａ，２２ａとほぼ同一間隔でボルト孔１１１ａ，１１１ｂが設けられている。そのため、アーム部材２のボルト孔２１ａ，２２ａと、バンド片１１，１１それぞれの基端側直線部１１１のボルト孔１１１ａ，１１１ｂとを位置合わせをして、図１に示すように、ボルト４１ａ，４２ａおよびナット４１ｂ，４２ｂにより締め付けることにより、アーム部材２に一対のバンド片１１，１１を固定することができる。
【００１７】
また、本実施形態では、バンド片１１の先端側直線部１１２の被掛止孔１１２ａは、バンド片１１の長手方向に長孔の被掛止孔であって、被掛止孔１１２ａの長手方向の長さＬ２（図３（ｂ）参照）は、掛止ボルト１２の掛止部１２ｂ先端における折り返し長さＬ３（図４参照）以上にしている。そのため、各掛止ボルト１２をそれぞれ対応する各バンド片１１に掛止する際に、各掛止ボルト１２先端における掛止部１２ｂを横方向、すなわち受け金具１３の長手方向にスライドさせて被掛止孔１１２ａに掛止することが可能となり、この点でもアーム部材２の取り付け作業が容易になる。なお、本発明では、被掛止部を長孔の被掛止孔１１２ａにすることは任意であり、長孔でなくても良いし、さらには被掛止孔１１２ａではなく掛止溝等が形成されていても良く、要は、掛止ボルト１２先端の掛止部１２ｂが掛止できる形状であれば良い。
【００１８】
各掛止ボルト１２は、図４に示すように、基端側にネジ部１２ａが設けられる一方、先端側にバンド片１１の先端側直線部１１２に設けられた被掛止孔１１２ａに掛止する掛止部１２ｂが設けられており、ネジ部１２ａにナット１２ｃを螺合して締付けることにより受け金具１３に取り付けられる。そのため、後述するように、アーム部材２を取り付けるべき支柱２の外径Ｒが多少変化しても、アーム部材２の長手方向における支柱２の外径Ｒの変化は、掛止ボルト１２のネジ部１２ａに対するナット１２ｃの位置を変えることによって吸収することができる。なお、本発明では、掛止ボルト１２の掛止部１２ｂは、図４に示すようなボルト先端を鉤型に折り曲げたフック形状に限らず、ボルト先端に掛止用の突起部または膨張部を設けた形状でも良く、要は、アーム部材２の被掛止部に掛止できる構成であれば良い。
【００１９】
受け金具１３は、図５に示すように、長手方向に支柱３の外径（直径）Ｒ以上の長さを有する例えばコの字型の受け金具本体１３１と、アーム部材２の反対側から支柱３の外周面を挟持して支柱３を押さえるほぼＭ字形状の支柱押さえ部１３２とから構成されている。受け金具本体１３１の両端には、掛止ボルト１２のネジ部１２ａがナット１２ｃにより取り付けられる一対のボルト孔１３１ａ，１３１ｂが設けられている。ここで、本実施形態では、このボルト孔１３１ａ，１３１ｂは、受け金具本体１３１の長手方向に長い長孔としている。これにより、後述するように、アーム部材２を取り付けるべき支柱２の外径Ｒが多少変化しても、受け金具本体１３１の長手方向における支柱２の外径Ｒの変化は、受け金具本体１３１のボルト孔１３１ａ，１３１ｂによって吸収することができる。
【００２０】
例えば、受け金具本体１３１の長手方向の長さが、例えば２００ｍｍとした場合、ボルト孔１３１ａ，１３１ｂの長手方向の長さ（幅）Ｌ４は、例えば３３ｍｍ程度にして、支柱３の外径（直径）Ｒが例えば１２０ｍｍで３０ｍｍ×２＝６０ｍｍ程度増大しても対応できるようにしている。そのため、図１に示す支柱３の外径（直径）Ｒが、例えば１２０ｍｍの場合であり、支柱３の外径Ｒが例えば２０ｍｍ〜４０ｍｍ程度増大して、１４０ｍｍ〜１６０ｍｍなどに増大した場合には、例えば、図６（ａ），（ｂ）に示すように、ボルト孔１３１ａ，１３１ｂに対する掛止ボルト１２のネジ部１２ａの固定位置を変更することによって、このアーム部材取付金具１を構成するバンド片１１や掛止ボルト１２および受け金具１３のサイズを変更することなく対応できる。ただし、この場合には、アーム部材２の左右両側面２１，２２と各バンド片１１との間に隙間が空くので、図６（ａ）に示すようにスペーサ５によってその隙間を埋めるようにする。
【００２１】
また、支柱３の外径Ｒの変化は、図７（ａ）に示すように、掛止ボルト１２の掛止部１２ｂの向きを外側にして対応したり、図７（ｂ）に示すように、ボルト孔１３１ａ，１３１ｂに対する掛止ボルト１２のネジ部１２ａの固定位置を変更すると共に、掛止ボルト１２の掛止部１２ｂの向きを外側にすることよっても対応できる。図７（ｂ）に示す場合は、アーム部材２の左右両側面２１，２２と各バンド片１１との間の隙間が図６に示す場合よりも大きくなっているので、スペーサ５の他に座金５’を使用してその隙間を埋めている。なお、本発明では、スペーサ５および座金５’の使用や使用枚数は、任意である。
【符号の説明】
【００２２】
１  アーム部材取付金具
１１  バンド片
１１１  基端側直線部
１１２  先端側直線部
１１２ａ  被掛止孔（被掛止部）
１１３  中継部
１２  掛止ボルト
１２ａ  ネジ部
１２ｂ  掛止部
１２ｃ  ナット
１３  受け金具
１３１  受け金具本体
１３１ａ，１３１ｂ  ボルト孔
１３２  支柱押さえ部
２  アーム部材
３  支柱
４１ａ，４２ａ  ボルト
４１ｂ，４２ｂ  ナット
５  スペーサ
５’  座金
【図１】
0005696059.tif 000002
【図２】
0005696059.tif 000003
【図３】
0005696059.tif 000004
【図４】
0005696059.tif 000005
【図５】
0005696059.tif 000006
【図６】
0005696059.tif 000007
【図７】
0005696059.tif 000008